(57)【要約】【課題】  包装用シートの切り開き位置が容易に分かり、おにぎりやサンドイッチ等の食品の取り出しが容易に行われるようにする。さらに、意匠性に優れ楽しく用いられる食品包装用シートを提供する。【解決手段】  線ファスナー模様１０を有し、線ファスナー模様１０に沿って切り開かれることで内部に包まれた食品が取り出されることを特徴とする食品包装用シート。【選択図】図２
0003183859.tif 000002
【実用新案登録請求の範囲】
【請求項１】
線ファスナー模様を有し、前記線ファスナー模様に沿って切り開かれることで内部に包まれた食品が取り出されることを特徴とする食品包装用シート。
【請求項２】
前記切り開きのための持ち片を、前記線ファスナー模様における持ち片模様部分とする請求項１記載の食品包装用シート。
【考案の詳細な説明】
【技術分野】
【０００１】  この考案は、おにぎりやサンドイッチ等の食品包装用シートに関する。
【背景技術】
【０００２】  おにぎりの包装用シートとして、所定位置で切り開かれることで海苔が巻かれた状態となっておにぎりが取り出されるものが提供されている。この包装用シートの場合、どの位置をどの方向に切り開くのかが分かりにくく、とくに子供や高齢者には切り開いてのおにぎりの取り出しが難しい問題があった。
【考案の概要】
【考案が解決しようとする課題】
【０００３】  この考案は上記の事情に鑑みて行ったもので、切り開き位置とその切り開き方向が容易に分かり、おにぎりやサンドイッチ等の取り出しが容易に行われる食品包装用シートを提供することを目的とする。また、意匠性にも優れ楽しく用いられる食品包装用シートを提供することを目的とする。
【課題を解決するための手段】
【０００４】  この考案では、線ファスナー模様を有し、前記線ファスナー模様に沿って切り開かれることで内部に包まれた食品が取り出されることを特徴とする食品包装用シートを提供する。【０００５】  上記食品包装用シートを用いた包装食品は、線ファスナー模様があることでそこが開き位置であることが一目で認識でき、線ファスナー模様に沿って何ら迷うことなく包装用シートが開かれて内部の食品が取り出される。とくに、切り開きのための持ち片を線ファスナー模様における持ち片模様部分とすることで、持ち片を持っての上記開き動作がより容易になされる。また、その開き動作は「実際のファスナー」を開くようにしてなされるので子供にとっては楽しいものとなる。【０００６】  食品包装用シートとして意匠性を高めるべく表面にキャラクター模様等を付することが考えられるが、その際には包装用シートを切り開く際にキャラクター模様も切断されることとなってあまり好ましくない。この考案では線ファスナー模様が楽しい意匠性を創り出すとともに、その位置において支障なく切り開くことができる利点がある。【０００７】  この考案の食品包装用シートは、おにぎり用としては業務用で海苔を収納できる２層構造もの、家庭用の１層構造のもの等全ての形態のものに適用でき、また、サンドイッチ包装用のものとしても用いられる。線ファスナー模様は線ファスナーに見える全ての形態のものを含む。
【考案の効果】
【０００８】  この考案によれば、切り開き位置、切り開き方向が容易に分かって内部のおにぎりやサンドイッチ等の取り出しが容易に行われる食品包装用シートが得られる。さらに、意匠性にも優れ楽しく用いられる食品包装用シートが得られる。
【図面の簡単な説明】
【０００９】
【図１】  この考案の食品包装用シートの実施形態の開き状態の表面側正面図
【図２】  この考案の食品包装用シートの実施形態の使用状態を示す斜視図
【図３】  この考案の食品包装用シートの異なる実施形態の開き状態の表面側正面図
【図４】  この考案の食品包装用シートの異なる実施形態の使用状態を示す斜視図
【図５】  この考案の食品包装用シートのさらに異なる実施形態の使用状態を示す斜視図
【考案を実施するための最良の形態】
【００１０】  図１はこの考案のおにぎり用である食品包装用シートの実施形態の開き状態（おにぎりを包装しない状態）の表面側正面図である。食品包装用シート１は縦長略長方形形状であり、表面シート３と裏面シート５からなる２層構造で、表面シート３と裏面シート５との間を海苔の収納スペース６としている。表面シート３と裏面シート５とはその周縁が固着され、裏面シート５はその中央位置において重なり状態において切り離されており、その部分が海苔の収納スペース６への差し入れ部７となっている。この包装用シート１の基本構造は、コンビニエンスストアー等で販売される包装おにぎりに使用される従来一般のものと同様である。【００１１】  上記表面シート３表面の中央位置に線ファスナー模様１０が縦方向に付されており、その線ファスナー模様１０における持ち片模様１０ａ部分が包装用シート１の切り開きのため切り込み形成された持ち片１２となっている。線ファスナー模様１０に沿う表面シート３の裏面位置には、切り開きのためのガイドテープが付設されている。【００１２】  図２は上記包装用シート１を使用した包装おにぎり１５を示す。線ファスナー模様１０があることでそこが開き位置と一目で認識でき、持ち片模様１０ａ部分である持ち片１２を持って線ファスナー模様１０に沿って何ら迷うことなく包装用シート１が開かれる。また、その開き動作は「実際のファスナー」を開くようにしてなされるので子供にとっては楽しいものとなる。【００１３】  図３はおにぎり用食品包装用シートの異なる実施形態の開き状態の表面側正面図である。この実施形態における包装用シート２０は家庭用のものであり、棒状のおにぎりを包むように使用される。シート２０の表面の全体にデザイン模様２１が付され、その中央に長手方向に沿って線ファスナー模様２２が形成されている。この実施形態においても線ファスナー模様２２における持ち片模様２２ａ部分が包装用シート１の切り開きのため切り込みにより形成された持ち片２４となっている。線ファスナー模様２２に沿う包装用シート２０の裏面位置には、切り開きのためのガイドテープが付設されている。２８はカバー片であり、シート２０の裏面の持ち片２４部分を覆う位置に取り付けられている。【００１４】  図４は上記包装用シート２０を使用した包装おにぎり３０を示す。線ファスナー模様２２があることでそこが開き位置と一目で認識でき、持ち片模様２２ａ部分である持ち片２４を持って線ファスナー模様２２に沿って何ら迷うことなく包装用シート２０が開かれる。また、その開き動作は「実際のファスナー」を開くようにしてなされるので、子供にとっては楽しいものとなる。とくに包装用シート２０にデザイン模様２１が付され棒状のおにぎりが包装された包装おにぎり３０は一見「ポシェット」形態を呈するものとなり、その「ポシェット」を開きおにぎりの取り出しが行えるので、楽しさが倍増される。【００１５】  図５は食品包装用シートさらに異なる実施形態の使用状態を示す。この実施形態における包装用シート４０は三角形状のサンドイッチを包装するように使用され、包装サンドイッチ５０の背面位置の上部中央から底面に至るように線ファスナー模様５２が付されている。この実施形態においても線ファスナー模様５２における持ち片模様５２ａ部分を包装用シート４０の切り開きのため切り込みにより形成された持ち片５４としている。この実施形態においても上記実施形態のものそれぞれと同様の作用効果が発揮される。
【符号の説明】
【００１６】  １      食品包装用シート
１０    線ファスナー模様
１０ａ  持ち片模様
１２    切り開きのための持ち片
【図１】
0003183859.tif 000003
【図２】
0003183859.tif 000004
【図３】
0003183859.tif 000005
【図４】
0003183859.tif 000006
【図５】
0003183859.tif 000007